(57)【要約】【課題】多層の光ディスクに層移動の間に入力するデータを連続記録する。【解決手段】複数の記録層を有し、記録層の開始及び終了を示すフラグが重畳されたウォブルが予め形成された光ディスクに、前記複数の記録層にまたがって、データを連続記録する光ディスク記録装置であって、外部からの制御によって、入力されるデータをスルー出力する機能と、入力されるデータを保持して出力する機能とを有するメモリ１７と、ＰＵ２が特定の前記記録層の記録終了位置に来たときに出力される終了を示す前記フラグ情報を検出して、前記メモリ１７に対し、入力される前記データをスルーから保持に切換える制御をし、次に記録されるべき他の記録層の記録開始位置に来たときに出力される開始を示す前記フラグ情報を検出して、メモリ１７に対し、保持されている前記データを連続して順次出力するよう出力制御する検出制御手段とを有する。【選択図】      図１
2004171667.tif 000002
【特許請求の範囲】
【請求項１】
複数の記録層を有すると共に、記録層の開始及び終了を示すフラグ情報が重畳されたウォブルが予め形成された光ディスクに、前記複数の記録層にまたがって、記録データを連続記録する光ディスク記録装置であって、
前記複数の記録層に前記記録データを記録するピックアップを前記光ディスクの半径方向に移送する移送手段と、
外部からの制御によって、入力される前記記録データをスルー出力する機能と、入力される前記記録データを保持して出力する機能とを有するメモリと、
前記ピックアップが特定の前記記録層の記録終了位置に来たときに出力される終了を示す前記フラグ情報を検出して、前記メモリに対し、入力される前記記録データをスルーから保持に切換える制御をし、次に記録されるべき他の記録層の記録開始位置に来たときに出力される開始を示す前記フラグ情報を検出して、前記メモリに対し、保持されている前記記録データを連続して順次出力するよう出力制御する検出制御手段とを有することを特徴とする光ディスク記録装置。
【発明の詳細な説明】
【０００１】
【発明の属する技術分野】
本発明は光ディスク記録装置に係り、特に、複数の記録再生層を有する光ディスクに対して、ＡＶ（映像、音楽）等の情報を連続的に記録するのに好適な光ディスク記録装置に関するものである。
【０００２】
【従来の技術】
現在、光ディスクは再生専用型、記録再生型を含めて、広範に普及しているが、一層の記録容量の向上が求められ、種々の試みがなされている。
その中で、光ディスクの記録容量を増加する技術として、記録層を多層化することが考えられている（例えば、特許文献１参照）。
【０００３】
多記録層、特に２つの記録層が両面にある２層の光ディスクに対しては、光ディスクの両面側に光ピックアップを配置して、それぞれの記録層に対して記録再生を行う方法が考えられるが、２つのピックアップを持つことで装置の複雑化や大型化、コスト高をまねく等の難点が多いので、光ディスクの片面側に配置する単一の光ピックアップによって記録再生が行えることが望ましい。
【０００４】
単一のピックアップにより、複数層に記録する従来の光ディスク記録装置の概略を以下説明する。
図６は、従来例の光ディスク記録装置を示す構成図である。
従来例の光ディスク記録装置４０においては、多層の記録層を有する光ディスク１に対して、一個のピックアップ（以下、単にＰＵともいう）２で情報の記録（及び再生）がなされる。ピックアップ２に配置された図示しないレーザは、レーザ駆動回路９からのレーザ駆動信号に従って、記録用又は再生用のレーザビーム１６を出射する。
ピックアップ２は移送部１８上に配置されており、光ディスク１の半径方向に移動できるようになっている。
【０００５】
レーザビーム１６は記録トラックに照射され、反射されて、ピックアップ２内の図示しない光検出器によりそれぞれ検出される。
レーザビーム１６に対応する反射光は、光検出器において、半径方向と円周方向に対応して４分割された受光部で検出され、グルーブの４つの検出信号ＳＡ１、ＳＡ２、ＳＡ３及びＳＡ４として、再生信号処理回路３、フォーカスエラー検出回路４、トラッキングエラー検出回路５及びウォブル信号検出回路６にそれぞれ出力される。
【０００６】
フォーカスエラー検出回路４から、フォーカスエラー信号がサーボ回路３７に出力される。
トラッキングエラー検出回路５からトラッキングエラー信号がサーボ回路３７に出力される。
【０００７】
サーボ回路３７からフォーカス及びトラッキングを正しく制御するためのピックアップ駆動制御信号が出力され、ピックアップ２は記録トラックを正しくトレースする。
ウォブル信号検出回路６から出力されたウォブル信号より、クロック生成回路８はクロックを生成し、記録データ生成回路３４及びコントロール手段３２に出力する。
コントロール手段３２は、クロックをカウントして、ピックアップ２がトラック上を正しくトレースするように移送部１８を制御する。
コントロール回路３２に入力された、光ディスク１に記録すべき記録情報は、記録データ生成回路３４及び記録系制御回路１１に出力される。
【０００８】
記録系制御回路１１は、記録データに対応する記録パワーをレーザ駆動回路１１に出力する。記録データ生成回路３４は、記録情報をクロックに対応して、所定の変調を行い、レーザ駆動回路９に出力する。
レーザ駆動回路９は、記録情報に対応した記録信号でレーザを駆動する信号を出力する。
ピックアップ２は、記録信号に対応したレーザビーム１６を放射し、記録する。
【０００９】
再生時には、フォーカスとトラッキングの取れた所定強度のレーザビームがピックアップ２より光ディスク１に放射されて、その反射光から得られた検出信号が再生信号処理回路３で処理されて再生情報が得られる。
光ディスク１における記録層が例えば２層であるので、ピックアップ２は、１つの層に対して記録再生動作をおこなう他に、ある記録層から別の記録層へと記録再生領域を移動しなければならない。
特に映像や音楽などのＡＶ用途で連続記録が必要な場合は、ピックアップ２から発射されるレーザビーム１６の焦点移動を瞬時に行って所定のトラック（グルーブ）を捉え、次の記録再生動作に移れるようにすることが必要である。
【００１０】
このピックアップ２の移動において、レーザビームの焦点移動であるフォーカスジャンプと、記録すべきトラック（グルーブ）へのトラックジャンプとの順序を、状況に応じて選択することによって現在アクセスしている層とは異なる層の所定のトラック位置に迅速且つ正確に光スポットを移動させる方法が提案されている（例えば、特許文献２参照）。
【００１１】
【特許文献１】
特開平８−２１２５６１号公報（第３−４頁、第１−２図）
【特許文献２】
特開平１０−１４３８７３号公報（第９−１４頁、第１−１２図）
【００１２】
【発明が解決しようとする課題】
ところで、上述のフォーカスジャンプとトラックジャンプとの順序を選択するサーボ系の制御方法によって、レーザビームスポットの層間移動開始から移動後の記録動作に入るまでのタイムロスを短縮することは出来るが、ＡＶ用途でストリーム記録をする場合（例えば映画やＴＶ放送を録画する場合）には、層移動の間も一定速度で記録すべきデータが入力されてくるので、タイムロスを短縮したとしても、タイムロスが０でない限り、レーザビームスポットの層移動の間に入力される情報（データ）を記録することができないという問題がある。
【００１３】
これは、複数層に記録する場合に、最初の層において内周から外周に向かって記録し、次の層にいくとまた内周へ戻ってから外に向かって記録、という場合はもちろんのこと、内周から外周への記録が終わった後、次の層はそのままの外周位置から今度は内側に向かって記録するという場合（フォーカスジャンプのみ）でも、最低数回転分の時間ロスを免れることはできず、その間に入力されるデータを記録することができないという問題がある。
【００１４】
そこで、本発明は、上記問題を解決し、多層記録する光ディスクに対して、光ビームスポットの層移動の間に取り込まれるストリームデータを欠落することなく連続記録する光ディスク記録装置を提供することを目的とするものである。
【００１５】
【課題を解決するための手段】
上記目的を達成するための手段として、本発明は、複数の記録層を有すると共に、記録層の開始及び終了を示すフラグ情報が重畳されたウォブルが予め形成された光ディスクに、前記複数の記録層にまたがって、記録データを連続記録する光ディスク記録装置であって、
前記複数の記録層に前記記録データを記録するピックアップを前記光ディスクの半径方向に移送する移送手段と、
外部からの制御によって、入力される前記記録データをスルー出力する機能と、入力される前記記録データを保持して出力する機能とを有するメモリと、
前記ピックアップが特定の前記記録層の記録終了位置に来たときに出力される終了を示す前記フラグ情報を検出して、前記メモリに対し、入力される前記記録データをスルーから保持に切換える制御をし、次に記録されるべき他の記録層の記録開始位置に来たときに出力される開始を示す前記フラグ情報を検出して、前記メモリに対し、保持されている前記記録データを連続して順次出力するよう出力制御する検出制御手段とを有することを特徴とする光ディスク記録装置である。
【００１６】
【発明の実施の形態】
以下、本発明の実施の形態につき、好ましい実施例により、図面を参照して説明する。なお、説明の簡便のため、参照符号については、従来例と同一の構成には同一の符号を付し、その説明を省略している。
【００１７】
＜第１実施例＞
図１は、本発明の光ディスク記録装置の第１実施例を示す構成図である。
第１実施例の光ディスク記録装置２０においては、多層の、例えば２層の記録層を有する光ディスク１に対して、一個のピックアップ２（以下、単にＰＵともいう）で情報の記録再生がなされる。ピックアップ２に配置された図示しないレーザは、レーザ駆動回路９からのレーザ駆動信号に従って、記録用又は再生用のレーザビーム１６を出射する。
ピックアップ２は移送部１８上に配置されており、光ディスク１の半径方向に移動できるようになっている。
光ディスク１は、回転制御されたスピンドルモータ（図示しない）により、回転されている。
【００１８】
レーザビーム１６は記録トラックに照射され、反射されて、反射光は、ピックアップ２内の図示しない光検出器により検出される。
レーザビーム１６に対応する反射光は、光ディスク１の半径方向と円周方向に対応して４分割された光検出器の受光部で検出され、グルーブの４つの検出信号ＳＡ１、ＳＡ２、ＳＡ３及びＳＡ４として、再生信号処理回路３、フォーカスエラー検出回路４、トラッキングエラー検出回路５及びウォブル信号検出回路６にそれぞれ出力される。
【００１９】
フォーカスエラー検出回路４は、検出信号ＳＡ１乃至ＳＡ４よりフォーカスエラー信号を生成し、サーボ回路７に出力する。
トラッキングエラー検出回路５は、検出信号ＳＡ１乃至ＳＡ４よりトラッキングエラー信号を生成し、サーボ回路７に出力する。
【００２０】
サーボ回路７は、フォーカスエラー信号及びトラッキングエラー信号より、フォーカス及びトラッキングを正しく制御するためのピックアップ駆動制御信号を出力する。ピックアップ２は、ピックアップ駆動制御信号により、回転する光ディスク１上の記録トラックを正しくトレースする。
【００２１】
ウォブル信号検出回路６は、検出信号ＳＡ１乃至ＳＡ４よりウォブル信号を生成し、クロック生成回路８及び検出回路１３に出力する。ウォブル信号には、アドレス情報、層切換、記録層の開始、記録層の終了、記録層の種類等のフラグ等の補助情報が含まれている。
クロック生成回路８はウォブル信号からクロックを生成し、記録データ生成回路３４に出力する。
【００２２】
検出回路１３は、ウォブル信号から、切換タイミング信号を生成して、サーボ回路７、切換回路１４及びコントロール回路１２に出力する。
コントロール回路１２は、切換タイミング信号に対応して、メモリ１７にコントロール信号を、記録系制御回路１１に層情報及びアドレス情報を出力する。
また、コントロール回路１２は、検出回路１３からのアドレス情報に基き移送部１８を制御し、ピックアップが正しくトラックをトレースするように制御する。
記録系制御回路１１は、層情報及びアドレス情報に対応して、記録データ記録用のレーザのパワー制御信号をレーザ駆動回路９に出力する。
【００２３】
メモリ１７には、記録情報が入力され、コントロール信号により制御されて、記録情報を記録データ生成回路１０に出力する。
記録データ生成回路１０は、クロックにより、記録情報に所定の変調を行い、記録データを生成し、レーザ駆動回路９に出力する。
レーザ駆動回路９は、パワー制御信号と記録データより、ピックアップ２のレーザを駆動するレーザ駆動信号を出力する。
【００２４】
ピックアップ２のレーザは記録データで変調され所定のパワーを有するレーザビームを放射し、光ディスク１上に記録データを記録する、又は記録された記録データを再生する。
再生時には、フォーカスとトラッキングの取れた所定強度のレーザビーム１６がピックアップ２より光ディスク１に放射されて、その反射光から得られた検出信号が再生信号処理回路３で処理されて再生情報が得られる。
【００２５】
再生信号処理回路３は再生情報を切換回路１４に出力する。切換回路１４は、切換タイミング信号により、再生情報をディレー回路１５に、又はディレー回路１５を通さず、出力する。
ディレー回路１５は、再生情報を所定の時間遅延して出力する。出力された再生情報は図示しない表示部で表示される。
【００２６】
次に、本第１実施例の光ディスク記録装置２０によって複数の記録層に記録データを連続記録する動作を説明する。
記録データをストリーム記録中に、ある記録層の記録領域のすべてを使い切ると、検出回路１３は、記録層の切り替えフラグ、或いは予め読み込まれてある記録領域終了アドレス情報等により、記録層切換（記録終了）のタイミングを得る、また、次に記録がされる記録層への移動完了後、記録すべきトラックのアドレス情報、記録層開始のフラグ等により記録開始タイミングを得て、切換タイミング信号を出力する。
【００２７】
サーボ回路７は、記録層切換の切換タイミング信号により、光ビームスポットを次に記録がおこなわれる記録層の所定の記録トラックに合わせるため、ピックアップ２のフォーカスジャンプとトラッキングジャンプを制御する。
コントロール回路１２はそれに対応してピックアップ２を移送する。またスピンドルモータを調節して回転制御を行う。
コントロール回路１２は、切換タイミング信号より、ある記録層への記録終了のタイミングおよび次に記録される記録層への記録開始タイミングを得て、或いはメモリ１７に保持される記録情報のデータ量を計算して、メモリ１７からの記録情報出力をコントロールするコントロール信号をメモリ１７に出力する。
【００２８】
次に、メモリ１７の動作を説明する。
図２は、本発明の光ディスク記録装置の第１実施例におけるメモリの動作を説明するための図である。
同図に示すように、メモリ１７は、一定のレートで取り込まれるストリームデータ（記録情報）を、記録層の切換の前には、保持しないでそのまま出力する（図２の（ａ））。
【００２９】
次に、図２の（ｂ）に示すように、始めの記録層への記録が終了した後の次の記録層への切換え期間には、コントロール回路１２からのコントロール信号により、メモリ１７からの出力は停止され、メモリ１７は入力されるストリームデータを順次保持する。ここで、斜線部はデータの保持されているメモリ１７の領域を示す（以下に示す図２の（ｃ）及び図２の（ｄ）においても同様）。
【００３０】
次に、図２の（ｃ）に示すように、記録層の切換が完了すると、コントロール信号により、メモリ１７は出力可能な状態となる。これにより、メモリ１７は、保持していたストリームデータを取り込んだ順に出力する。この時、メモリ１７へのストリームデータ（記録情報）の入力レートと、メモリ１７からのストリームデータ（記録情報）の出力レートが等しい場合には、記録層切換動作の間に取り込み保持したデータ量と同じデータ量が常にメモリ１７に存在する。これは、記録すべきストリームデータの取り込み終了まで継続される。
【００３１】
なお、図２の（ｄ）に示すように、メモリ１７への入力レートよりもメモリ１７からの出力レートが大きい場合には、次の記録層への記録が開始されると、メモリ１７に保持されるデータ量は徐々に減ってゆく。メモリ１７内のデータが無くなると、入力されるストリームデータ量と入力レートとから、コントロール信号により、メモリ１７からの出力は途切れないように制御調整される。
【００３２】
メモリ１７から出力されたストリームデータ（記録情報）は、上述のように、記録データ生成回路１０で記録データに生成され、レーザ駆動回路９で、記録層及びアドレスに応じてパワー制御されたレーザ駆動信号になり、これによって駆動されるレーザから放射されるレーザビーム１６により情報信号として順次記録層に記録される。
【００３３】
このように、記録層切換期間の間に、光ディスク記録装置２０に入力するストリームデータをメモリ１７に蓄積保持し、次の記録層への記録を開始した後には、保持していたストリームデータを取り込んだ順に出力することにより、ストリームデータを欠落させることなく、複数の記録層に記録することができる。
具体例として、ＭＰＥＧ動画を記録する場合、映像データはＧＯＰ（Ｇｒｏｕｐ  ｏｆ  Ｐｉｃｔｕｒｅ）単位で扱わなければならないので、以下の装置・方法を用いる。
まず、映像データについては、ＧＯＰヘッダを検出する図示しない検出器によって、ＧＯＰヘッダを検出する。ＧＯＰヘッダより、最大ＧＯＰサイズを検出する。メモリ１７にはストリームデータが順次記憶され、順次読み出されるが、常に、最大ＧＯＰサイズの情報を更新しながら記憶保持している。当該記録層への記録が終了したときには、メモリ１７からの読出しは停止され、メモリ１７は、入力されるストリームデータを継続して順次記憶していく。次に記録層への記録の準備ができるまでの期間のデータがメモリ１７に記憶される。次に記録層への記録を開始するときには、記録が途中で中断されたＧＯＰについては、メモリ１７に記憶されているので、ＧＯＰの最初から、メモリ１７より読み出して記録する。
音声データについては、フレームのヘッダを検出する図示しない検出器によって、フレームのヘッダを検出する。メモリ１７の動作は映像情報の場合と同様である。
【００３４】
次に、複数の記録層に亘って記録された情報信号をストリームデータとして、再生する場合を説明する。
フォーカス制御とトラッキング制御のなされた再生用の所定強度のレーザビーム１６がＰＵ２より光ディスク１に放射されて、その反射光から得られた検出信号ＳＡ１、ＳＡ２、ＳＡ及びＳＡ４が再生信号処理回路３で処理されて再生情報が得られる。
【００３５】
再生信号処理回路３は再生情報を切換回路１４に出力する。切換回路１４は、切換タイミング信号により、再生情報をディレー回路１５に、又はディレー回路１５を通さず、出力する。まず、最初の記録層からの再生信号は切換回路１４からディレー回路１５に出力される。
ディレー回路１５は、記録層切換に要する時間分、入力された再生情報を遅延して表示部（図示しない）へ出力する。最初の記録層からの再生が終了し、記録層切換がおこなわれて、次の記録層からの再生情報が切換回路１４に入力すると、切換タイミング信号により、再生情報は直接、表示部に出力される。
【００３６】
こうすることによって、複数の記録層に連続に記録されているストリームデータを再生する際に記録層切換をおこなっても、連続したストリームデータとして再生することができる。
【００３７】
＜第２実施例＞
図３は、本発明の光ディスク記録装置の第２実施例を示す構成図である。
同図に示すように、第２実施例の光ディスク記録装置３０は、第１実施例の光ディスク記録装置２０において、コントロール回路１２、メモリ１７及び記録データ生成回路１０の組み合わせに代えて、コントロール回路２２、出力切換回路２１、メモリ２３及び記録データ生成回路２４の組み合わせとした以外は、第１実施例の光ディスク記録装置２０と同様に構成したものである。
【００３８】
検出回路１３は、ウォブル信号に含まれている、記録層の切換フラグ、或いは予め読み込まれてある記録領域終了アドレス情報等により記録層切換のタイミングを得る。また記録層間移動完了後に記録すべきトラックのアドレス情報等により記録開始タイミングを得る。これらのタイミングを切換タイミング信号として、サーボ回路７、切換回路１４及びコントロール回路２２に出力する。
クロック生成回路８及びサーボ回路７については、上述したとおりであるので説明を省略する。
【００３９】
コントロール回路２２にはストリームデータ（記録情報）が入力される。コントロール回路２２から記録情報が出力切換回路２１に出力される。また、コントロール回路２２は、切換タイミング信号よりコントロール信号を生成し、これを出力切換回路２１及びメモリ２３に出力する。コントロール回路２２は、切換タイミング信号に対応して、記録系制御回路１１に層情報及びアドレス情報を出力する。
また、コントロール回路２２は、検出回路１３からのアドレス情報に基づきピックアップ２が正しくトラックをトレースするように移送部１８を制御する。
【００４０】
出力切換回路２１は、入力する記録情報をコントロール信号の制御によって、メモリ２３又は記録データ生成回路２４へ出力する。
メモリ２３は入力する記録情報を記憶し、コントロール信号の制御によって、記録情報を記録データ生成回路２４へ出力する。
記録系制御回路１１は、層情報及びアドレス情報に対応して、記録データ記録用のレーザのパワー制御信号をレーザ駆動回路９に出力する。
【００４１】
記録データ生成回路２４は、クロックにより、入力する記録情報に所定の変調を行い、記録データを生成し、レーザ駆動回路９に出力する。
レーザ駆動回路９は、パワー制御信号と記録データより、ピックアップ２のレーザを駆動するレーザ駆動信号を出力する。
ピックアップ２のレーザは記録データで変調され所定のパワーを有するレーザビーム１６を放射し、光ディスク１上に記録データを記録する、又は記録された記録データを再生する。
【００４２】
再生時には、フォーカスとトラッキングの取れた所定強度のレーザビーム１６がピックアップ２より光ディスク１に放射されて、その反射光から得られた検出信号が再生信号処理回路３で処理されて再生情報が得られる。
上述したように、再生信号処理回路３は再生情報を切換回路１４に出力する。切換回路１４は、切換タイミング信号により、再生情報をディレー回路１５に、又はディレー回路１５を通さず、出力する。
ディレー回路１５は、再生情報を所定の時間（記録層間移動の時間）遅延して出力する。出力された再生情報は図示しない表示部で表示される。
【００４３】
次に、本第２実施例に光ディスク記録装置３０によって、複数の記録層に記録データを連続記録する動作を説明する。
記録データをストリーム記録中に、ある記録層に記録しているときは、コントロール回路２２から出力切換回路２１に入力される記録情報は記録データ生成回路２４に出力される。
【００４４】
その記録層の記録領域のすべてを使い切ると、検出回路１３は、記録層の切り替えフラグ、或いは予め読み込まれてある記録領域終了アドレス情報等により、記録層切換のタイミングを得る、また、次に記録がされる記録層への移動完了後、記録すべきトラックのアドレス情報、記録層の開始のフラグ等により記録開始タイミングを得て、切換タイミング信号を出力する。
【００４５】
サーボ回路７は、切換タイミング信号により、光ビームスポットを次に記録がおこなわれる記録層の所定の記録トラックに合わせるため、ピックアップ２のフォーカスジャンプとトラッキングジャンプを制御する。
コントロール回路２２はそれに対応してピックアップ２を移送する。またスピンドルモータを調節して回転制御を行う。
コントロール回路２２は、切換タイミング信号より、ある記録層への記録終了のタイミングおよび次に記録される記録層への記録開始タイミングを得て、コントロール信号を出力切換回路２１に出力する。
【００４６】
出力切換回路２１は、記録情報（ストリームデータ）を取り込むと、ある記録層に記録しており、その記録層への記録が終了する前（記録層切換の前）には、記録データ生成回路２４に、この記録情報を出力している。切換タイミング信号により、コントロール回路２２が、その記録層への記録終了のタイミングを得ると、コントロール信号を出力切換回路２１に出力し、これにより出力切換回路２１は記録情報をメモリ２３に送る。メモリ２３はその記録情報を保持する。
【００４７】
次の記録層への記録開始タイミングを得ると、コントロール回路２２はコントロール信号を出力切換回路２１に出力し、出力切換回路２１は、記録情報を再び記録データ生成回路２４に記録情報を出力する。連続する記録情報の取り込みが終了すると、コントロール回路２２はメモリ２３にコントロール信号（出力タイミング信号）を送り、メモリ２３は保持している記録情報を入力した順に出力する。この記録情報は、前記次の記録層の所定位置に記録される。
【００４８】
次に、上記の記録動作をさらに詳しくメモリ２３の動作と共に説明する。
図４は、本発明の光ディスク記録装置の第２実施例におけるメモリの動作を説明するための図である。
図４の（ａ）に示すように、記録情報がある記録層に連続して記録されている間は、メモリ２３は、記録情報を保持しない。
【００４９】
ある記録層への記録が終了する記録終了タイミングで、出力切換回路２１から送られてくる記録情報（ストリームデータ）を保持する。レーザビームスポットの移動が終了し、次の記録層への記録が開始されるまでの期間に入力してくる記録情報を保持する（図４の（ｂ））。
次の記録層への記録が開始されるタイミングで、順次連続して入力する記録情報は次の記録層に記録され、その記録が終了するまで、メモリ２３はメモリ２３に入力した記録情報を保持し続ける（図４の（ｃ））。
【００５０】
メモリ２３は、連続する記録情報（ストリームデータ）の入力と次の記録層への記録が終了すると、コントロール回路２２より出力された、データ出力タイミング信号を受けて、保持していた記録情報を記録データ生成回路２４に出力する（図４の（ｄ））。
記録データ生成回路２４は、出力切換回路２１又はメモリ２３より送られてきた記録情報（ストリームデータ）を変調して記録すべき記録信号に変換する。
レーザ駆動回路９は、記録系制御回路１１から送られてくパワー制御信号に対応して、記録データ生成回路２４から送られてくる記録信号をレーザ駆動信号に変換し、レーザを駆動し光パルスを照射して記録層に記録を行う。
【００５１】
この時、メモリ２３に保持されており、出力切換回路２１から直接に記録データ生成回路２４に出力される記録情報の記録が終了した後に出力される記録情報は、この部分と前後する記録情報とは切り離された形になるが、記録層移動の間にメモリ２３に保持されるデータ量、あるいはメモリ２３に保持可能なデータ容量は予めわかるので、そのデータ量に対応する記録情報を記録する領域を、記録層切換前の記録層の最後の領域、又は切換後の記録層の先頭の領域とする光ディスクフォーマットにするようにして、もしくは、移送装置１８が記録層切換時に、前記データ量分の領域を予め空けて、所定量だけ進んだアドレス位置にレーザビームスポットを移動するようにして、ストリームデータ記録終了後に、その空き領域に戻って、メモリ２３に保持した記録情報を記録するようにする。
【００５２】
レーザビームスポットが記録層間を移動する間に取り込まれるストリームデータは、例えば、補助記録領域に保持することができる。
図５は、本発明の光ディスク記録装置における光ディスクの補助記録領域を説明するための図である。
同図において、図５の（ａ）は、例えば２層の記録層を有する光ディスク１において、第１の記録層を示しており、図５の（ｂ）は、第２の記録層を示している。
【００５３】
図５の（ａ）において、円板状の光ディスク１は中心にセンター孔２を有しており、記録領域４２には、内周部に第１補助記録領域４３が、外周部に第２補助記録領域４４がそれぞれ設けられている。この第１の記録層においては、記録は、矢印Ａで示すように内周から外周に向っておこなわれる。
図５の（ｂ）において、記録領域４６には、外周部に第１補助記録領域４７が、内周部に第２補助記録領域４８がそれぞれ設けられている。この第２の記録層においては、記録は、矢印Ｂで示すように外周から内周に向っておこなわれる。
【００５４】
連続するストリームデータ（記録情報）を記録するとき、まず第１の記録層の記録領域４２に順次記録してゆき、記録領域４２の全てに記録をした後は、記録層の切換期間のデータは、メモリ２３に保持されており、記録層の切換が終わると第２の記録層の記録領域４６に記録をおこなう。ストリームデータが終了すると、切換期間のデータ（記録情報）を、第１記録層の第２補助記録領域４４又は第２記録層の第１補助記録領域４７に記録する。これにより、本来のデータの並び順を保持できるので、再生に際しては途切れることなく連続再生することができる。
【００５５】
複数の記録層に記録されたストリームデータを再生する方法は、上述の第１実施例における場合と同様であるので、その説明を省略する。
これにより、複数の多記録層を有する光ディスクに対して記録を行う際、光ビームスポットの層移動時間中にも途切れることなく取り込まれる記録情報（データ）を記憶手段に保存し、層移動完了後記憶手段から順次出力、あるいはデータの取り込み・出力がすべて終了した後に記憶手段から出力し所定の領域に記録を行うことにより、映像、音楽等のデータの長時間連続記録・連続再生を行う光ディスク記録装置が得られる。
【００５６】
【発明の効果】
以上説明したように、本発明の光ディスク記録装置は、複数の記録層に記録データを記録するピックアップを光ディスクの半径方向に移送する移送手段と、外部からの制御によって、入力される前記記録データをスルー出力する機能と、入力される前記記録データを保持して出力する機能とを有するメモリと、前記ピックアップが特定の前記記録層の記録終了位置に来たときに出力される終了を示す前記フラグ情報を検出して、前記メモリに対し、入力される前記記録データをスルーから保持に切換える制御をし、次に記録されるべき他の記録層の記録開始位置に来たときに出力される開始を示す前記フラグ情報を検出して、前記メモリに対し、保持されている前記記録データを連続して順次出力するよう出力制御する検出制御手段とを有することにより、多層記録する光ディスクに対して、光ビームスポットの層移動の間に取り込まれるストリームデータを欠落することなく連続記録する光ディスク記録装置を提供できるという効果がある。
【図面の簡単な説明】
【図１】本発明の光ディスク記録装置の第１実施例を示す構成図である。
【図２】本発明の光ディスク記録装置の第１実施例におけるメモリの動作を説明するための図である。
【図３】本発明の光ディスク記録装置の第２実施例を示す構成図である。
【図４】本発明の光ディスク記録装置の第２実施例におけるメモリの動作を説明するための図である。
【図５】本発明の光ディスク記録装置における光ディスクの補助記録領域を説明するための図である。
【図６】従来例の光ディスク記録装置を示す構成図である。
【符号の説明】
１…光ディスク、２…ピックアップ、３…再生信号処理回路、４…フォーカスエラー検出回路、５…トラッキングエラー検出回路、６…ウォブル信号検出回路、７…サーボ回路、８…クロック生成回路、９…レーザ駆動回路、１０…記録データ生成回路、１１…記録系制御回路、１２…コントロール回路（手段）、１３…検出回路、１４…切換回路（手段）、１５…ディレー回路、１６レーザビーム、１７…メモリ、２０…光ディスク記録装置、２１…出力切換回路、２２…コントロール回路（手段）、２３…メモリ、２４…記録データ生成回路、３０…光ディスク記録装置、３２…コントロール回路（手段）、３４…記録データ生成回路、３７…サーボ回路、４０…光ディスク記録装置、４１…センター孔、４２…記録領域、４３…第１補助記録領域、４４…第２補助記録領域、４６…記録領域、４７…第１補助記録領域、４８…第２補助記録領域。
【図１】
2004171667.tif 000003
【図２】
2004171667.tif 000004
【図３】
2004171667.tif 000005
【図４】
2004171667.tif 000006
【図５】
2004171667.tif 000007
【図６】
2004171667.tif 000008